(57)【要約】発電装置は、第１の鉄心部（中空筒状鉄心部）１と、第２の鉄心部（円筒状鉄心部２）と、両者間に介在し、かつ周方向に所定間隔をおいて半径方向に延びる複数の延出鉄心部（放射状延出鉄心部）３と、隣接する放射状延出鉄心部間に成形されたスロット４と、これらのスロット間の延出鉄心部３に巻回された一次巻線５及び二次巻線６とを備えている。前記複数の放射状延出鉄心部３は、一次巻線及び二次巻線が巻回された状態で、前記中空筒状鉄心部１から延出して一体化しており、中空筒状鉄心部１の中空部には円筒状鉄心部２が装着される。このような組み立て構造及びその組み立て方法では、一次巻線及び二次巻線を備えた発電装置の組み立て作業性を改善できる。【特許請求の範囲】
【請求項１】
互いに装着可能な第１の鉄心部及び第２の鉄心部と、これらの第１及び第２の鉄心部の間に介在する複数の延出鉄心部と、これらの延出鉄心部に巻回された一次巻線及び二次巻線とを備えた発電装置の組み立て構造であって、前記複数の延出鉄心部は、一次巻線及び／又は二次巻線が巻回された状態で、前記第１の鉄心部及び第２の鉄心部のうち少なくとも一方の鉄心部と少なくとも部分的に一体化していてもよく、前記第１の鉄心部、第２の鉄心部、及び一次及び／又は二次巻線が巻回された複数の延出鉄心部のうち、少なくとも１つの部材が隣接する他の部材に対して装着可能である発電装置の組み立て構造。
【請求項２】
中空筒状鉄心部と、この中空筒状鉄心部の中空部に装着される円筒状鉄心部と、前記中空筒状鉄心部とこの円筒状鉄心部との間に介在し、かつ周方向に所定間隔をおいて半径方向に延びる複数の放射状延出鉄心部と、隣接する放射状延出鉄心部間に成形されたスロットと、これらのスロット間の延出鉄心部に巻回された一次巻線及び二次巻線とを備えた発電装置の組み立て構造であって、前記複数の放射状延出鉄心部は、一次巻線及び／又は二次巻線が巻回された状態で、前記中空筒状鉄心部（１）及び円筒状鉄心部（２）のうち少なくとも一方の鉄心部と少なくとも部分的に一体化していてもよく、前記中空筒状鉄心部（１）、円筒状鉄心部（２）、及び一次及び／又は二次巻線が巻回された複数の放射状延出鉄心部（３）のうち、少なくとも１つの部材が隣接する他の部材に対して装着可能である請求項１記載の組み立て構造。
【請求項３】
一次巻線が第１及び第２の鉄心部のいずれか一方の鉄心部に交番磁界と回転磁界とを生じさせ、二次巻線が前記一次巻線により生じる交番磁界及び回転磁界に対して交差する請求項１記載の組み立て構造。
【請求項４】
第１の鉄心部及び第２の鉄心部のうち少なくとも一方の鉄心部が、一次巻線及び二次巻線が巻回された複数の延出鉄心部と一体化しており、前記一方の鉄心部に対して他方の鉄心部が装着可能である請求項１記載の組み立て構造。
【請求項５】
中空筒状鉄心部及び円筒状鉄心部のうち少なくとも一方の鉄心部が、一次巻線及び二次巻線が巻回された複数の放射状延出鉄心部と一体化しており、前記一方の鉄心部に対して他方の鉄心部が装着可能である請求項２記載の組み立て構造。
【請求項６】
複数の放射状延出鉄心部が、一次巻線及び二次巻線が巻回された状態で、円筒状鉄心部の外周面から延出して一体化されている請求項５記載の組み立て構造。
【請求項７】
複数の放射状延出鉄心部が、一次巻線及び二次巻線が巻回された状態で、中空筒状鉄心部の内周面から延出して一体化されている請求項５記載の組み立て構造。
【請求項８】
複数の放射状延出鉄心部が、一次又は二次巻線が巻回され、かつ中空筒状鉄心部の内面と一体化した第１の放射状延出片と、二次又は一次巻線が巻回され、かつ円筒状鉄心部の外面と一体化しているとともに、前記第１の放射状延出片と突き合わせ可能な第２の放射状延出片とで構成されている請求項２記載の組み立て構造。
【請求項９】
互いに軸芯方向に積層した形態で装着可能な第１の円盤状鉄心部及び第２の円盤状鉄心部と、これらの第１及び第２の円盤状鉄心部の間に介在し、かつ周方向に所定間隔をおいて、前記円盤状鉄心部に対して垂直方向に延びる複数の柱状延出鉄心部と、これらの柱状鉄心部に巻回された一次巻線及び二次巻線とを備えている請求項１記載の組み立て構造。
【請求項１０】
複数の柱状延出鉄心部が、一次巻線が巻回され、かつ第１の円盤状鉄心部と一体化した第１の柱状延出片と、二次巻線が巻回され、かつ第２の円盤状鉄心部と一体化しているとともに、前記第１の延出片と突き合わせ可能な第２の柱状延出片とで構成されており、前記第１及び第２の延出片を互いに突き合わせた状態で、第１及び第２の円盤状鉄心部を互いに装着可能な請求項９記載の組み立て構造。
【請求項１１】
互いに装着可能な第１の鉄心部及び第２の鉄心部と、これらの第１及び第２の鉄心部の間に介在する複数の延出鉄心部と、これらの延出鉄心部に巻回された一次巻線及び二次巻線とを備えた発電装置の組み立て方法であって、前記複数の延出鉄心部は、一次巻線及び／又は二次巻線が巻回された状態で、前記第１の鉄心部及び第２の鉄心部のうち少なくとも一方の鉄心部と少なくとも部分的に一体化していてもよく、前記第１の鉄心部、第２の鉄心部、及び一次及び／又は二次巻線が巻回された複数の延出鉄心部のうち、少なくとも１つの部材を隣接する他の部材に対して装着し、発電装置を組み立てる方法。
【請求項１２】
中空筒状鉄心部と、この中空筒状鉄心部の中空部に装着される円筒状鉄心部と、中空筒状鉄心部とこの円筒状鉄心部との間に介在し、かつ周方向に所定間隔をおいて半径方向に延びる複数の放射状延出鉄心部と、隣接する放射状延出鉄心部間に成形されたスロットと、これらのスロット間の延出鉄心部に巻回された一次巻線及び二次巻線とを備えた発電装置の組み立て方法であって、前記複数の放射状延出鉄心部は、一次巻線及び／又は二次巻線が巻回された状態で、前記中空筒状鉄心部（１）及び円筒状鉄心部（２）のうち少なくとも一方の鉄心部と少なくとも部分的に一体化していてもよく、前記中空筒状鉄心部（１）、円筒状鉄心部（２）、及び一次及び／又は二次巻線が巻回された複数の放射状延出鉄心部（３）のうち、少なくとも１つの部材を隣接する他の部材に対して装着し、発電装置を組み立てる請求項１１記載の組み立て方法。
【請求項１３】
組み立て構造が、互いに軸芯方向に積層した形態で装着可能な第１の円盤状鉄心部及び第２の円盤状鉄心部と、これらの第１及び第２の円盤状鉄心部の間に介在し、かつ周方向に所定間隔をおいて、前記円盤状鉄心部に対して垂直方向に延びる複数の柱状延出鉄心部と、これらの柱状鉄心部に巻回された一次巻線及び二次巻線とを備えており、前記第１の円盤状鉄心部、第２の円盤状鉄心部、及び一次及び／又は二次巻線が巻回された複数の柱状延出鉄心部のうち、少なくとも１つの部材を隣接する他の部材に対して装着する請求項１１記載の組み立て方法。
【発明の詳細な説明】
【技術分野】
【０００１】  本発明は、電気エネルギーを供給する上で有用な発電装置（又は誘導発電機）の組み立て構造および組み立て方法に関する。
【背景技術】
【０００２】  発電装置として、水力発電装置、火力発電装置、原子力発電装置、太陽光発電装置、風力発電装置、海洋温度差発電装置、化学発電装置（電池）などが知られている。しかし、水力発電装置ではダム建設や土砂の堆積に伴う自然破壊、火力発電では排気ガスに伴う大気汚染、原子力発電装置では放射能による汚染の可能性が指摘されている。また、太陽光発電装置、風力発電装置、海洋温度差発電装置では、自然環境により左右され、電池では、金属成分の処理が必要となる。このように、これらの発電装置には、それぞれ固有の問題点が指摘されている。【０００３】  一方、自己発電装置（誘導発電機）に関し、特開平７−３０３３５６号公報（特許文献１）には、交番磁界に加えて進行磁界を生じさせる一次巻線と、この一次巻線により生じる交番電流及び進行磁界に鎖交するように配される二次巻線とを備える発電装置が開示されている。この文献には、円柱状鉄心部と、この円柱状鉄心部の外周面側に周方向に等間隔に軸線方向に形成されたスロットと、これらのスロットに嵌入された一次巻線及び二次巻線と、前記円柱状鉄心部が磁気的に結合され、かつ中空部に嵌合される円環筒状鉄心部とを備えた発電装置が記載されている。さらに、円柱状鉄心部の突出部を円環筒状鉄心部の切り込み溝に沿って嵌入させながら円環筒状鉄心部の中空部に円柱状鉄心部を嵌合させて鉄心部を組み立てることも記載されている。【０００４】  しかし、この構造の発電装置では、円柱状鉄心部のスロットに巻線を嵌入させる必要があるため、装置の組み立て作業性を改善することが困難である。
【特許文献１】特開平７−３０３３５６号公報（特許請求の範囲、段落番号［００１４］［００１５］）
【発明の開示】
【発明が解決しようとする課題】
【０００５】  従って、本発明の目的は、一次巻線及び二次巻線を備えた発電装置（誘導発電装置）の組み立て作業性を改善できる組み立て構造および組み立て方法を提供することにある。【０００６】  本発明の他の目的は、発電装置（誘導発電装置）の生産性を大きく向上できる組み立て構造および組み立て方法を提供することにある。
【課題を解決するための手段】
【０００７】  本発明者は、前記課題を達成するため鋭意検討した結果、周方向に等間隔毎に配され、放射方向に延びる延出鉄心部を介して、中空筒状鉄心部の中空部に円柱状鉄心部が装着可能な構造を形成すると、前記スロット間の延出鉄心部に一次巻線及び二次巻線を巻回して、中空筒状鉄心部の中空部に円柱状鉄心部を円滑に装着できることを見いだし、本発明を完成した。【０００８】  すなわち、本発明の発電装置の組み立て構造は、互いに装着可能な第１及び第２の鉄心部と、この第１及び第２の鉄心部の間に介在する複数の延出鉄心部と、この延出鉄心部に巻回された一次巻線及び二次巻線とを備えている。このような構造において、前記複数の延出鉄心部は、一次巻線及び／又は二次巻線が巻回された状態で、前記第１の鉄心部及び第２の鉄心部のうち少なくとも一方の鉄心部と少なくとも部分的に一体化していてもよい。そして、前記第１の鉄心部、第２の鉄心部、及び一次及び／又は二次巻線が巻回された複数の延出鉄心部のうち、少なくとも１つの部材が隣接する他の部材に対して装着可能である。このような構造では、複数の延出鉄心部に一次及び／又は二次巻線が巻回された状態で、前記第１の鉄心部、第２の鉄心部及び延出鉄心部のうち少なくとも１つの部材が隣接する部材に対して装着可能であるため、一次巻線及び二次巻線を備えていても、装置の組み立て効率を大きく向上できる。【０００９】  なお、延出鉄心部に巻回された一次巻線は、前記第１及び第２の鉄心部のいずれか一方の鉄心部［例えば、第１の鉄心部（中空筒状鉄心部、第１の円盤状鉄心部など）］に交番磁界と進行磁界（回転磁界）とを生じさせ、前記延出鉄心部に巻回された二次巻線は、前記一次巻線により生じる交番磁界及び進行磁界（又は回転磁界）に対して磁気的に交差している。【００１０】  第１の鉄心部及び第２の鉄心部のうち少なくとも一方の鉄心部は、一次巻線及び二次巻線が巻回された複数の延出鉄心部と一体化していてもよく、前記一方の鉄心部に対して他方の鉄心部が装着可能であってもよい。【００１１】  第１の鉄心部及び第２の鉄心部は、互いに軸芯方向に嵌合した形態又は同心円状の形態で装着可能であってもよく、少なくとも対をなす円盤状鉄心部で構成され、軸芯を同じくして互いに軸芯方向に積層した形態で装着可能であってもよい。また、延出鉄心部は、第１の鉄心部及び第２の鉄心部のうち少なくとも一方の鉄心部から、周方向に所定間隔をおいて半径方向に延出して形成してもよく、半径方向に対して直交する方向（軸芯方向に対して並列な方向）に延出して形成してもよい。【００１２】  前記組み立て構造は、中空筒状鉄心部と、この中空筒状鉄心部の中空部に装着される円筒状鉄心部と、前記中空筒状鉄心部とこの円筒状鉄心部との間に介在し、かつ周方向に所定間隔をおいて半径方向に延びる複数の放射状延出鉄心部（対称構造の放射状延出鉄心部）と、隣接する放射状延出鉄心部間に成形（又は形成）されたスロットと、これらのスロット間の延出鉄心部に巻回された一次巻線及び二次巻線とを備えていてもよい。このような構造において、前記複数の放射状延出鉄心部は、一次巻線及び／又は二次巻線が巻回された状態で、少なくとも部分的に前記中空筒状鉄心部（１）及び円筒状鉄心部（２）のうち少なくとも一方の鉄心部と一体化していてもよい。そして、前記中空筒状鉄心部（１）、円筒状鉄心部（２）、及び一次及び／又は二次巻線が巻回された複数の放射状延出鉄心部（３）のうち、少なくとも１つの部材が隣接する他の部材に対して装着可能である。このような構造では、複数の放射状延出鉄心部に一次及び／又は二次巻線が巻回された状態で、前記複数の鉄心部のうち少なくとも１つの部材が隣接する部材に対して装着可能であるため、一次巻線及び二次巻線を備えていても、装置の組み立て効率を大きく向上できる。【００１３】  前記組み立て構造は、前記複数の鉄心部のうち少なくとも１つの部材が隣接する他の部材に対して装着可能であればよく、組み立て又は装着（嵌合）可能な複数の鉄心部で構成できる。例えば、中空筒状鉄心部及び円筒状鉄心部のうち少なくとも一方の鉄心部が、一次巻線及び二次巻線が巻回された複数の延出鉄心部と一体化しており、前記一方の鉄心部に対して他方の鉄心部が装着可能であってもよい。例えば、前記組み立て構造において、複数の放射状延出鉄心部が、一次巻線及び二次巻線が巻回された状態で、円筒状鉄心部の外周面から延出して一体化されていてもよい。また、複数の放射状延出鉄心部が、一次巻線及び二次巻線が巻回された状態で、中空筒状鉄心部の内周面から延出して一体化されていてもよい。また、複数の放射状延出鉄心部を、一次又は二次巻線が巻回され、かつ中空筒状鉄心部の内面と一体化した第１の放射状延出片と、二次又は一次巻線が巻回され、かつ円筒状鉄心部の外面と一体化しているとともに、前記第１の放射状延出片と突き合わせ可能な第２の放射状延出片とで構成してもよい。このような構造では、中空筒状鉄心部に円筒状鉄心部を装着又は嵌合することにより、前記第１の放射状延出片と第２の放射状延出片とを突き合わせて装着又は嵌合できる。さらに、中空筒状鉄心部と、円筒状鉄心部と、一次巻線及び二次巻線が巻回された複数の延出鉄心部とで構成し、それぞれの鉄心部が互いに装着又は嵌合可能であってもよい。【００１４】  本発明の組み立て構造は、互いに軸芯方向に積層した形態で装着可能な第１の円盤状鉄心部及び第２の円盤状鉄心部と、これらの第１及び第２の円盤状鉄心部の間に介在し、かつ周方向に所定間隔をおいて、前記円盤状鉄心部に対して垂直方向（又は積層方向）に延びる複数の柱状延出鉄心部と、これらの柱状鉄心部に巻回された一次巻線及び二次巻線とを備えていてもよい。複数の柱状延出鉄心部は、一次巻線が巻回され、かつ第１の円盤状鉄心部と一体化した第１の柱状延出片と、二次巻線が巻回され、かつ第２の円盤状鉄心部と一体化しているとともに、前記第１の延出片と突き合わせ可能な第２の柱状延出片とで構成してもよく、前記第１及び第２の延出片を互いに突き合わせた状態で、第１及び第２の円盤状鉄心部を互いに装着可能であってもよい。【００１５】  本発明は、前記装置の組み立て方法も包含する。すなわち、本発明の方法では、互いに装着可能な第１の鉄心部及び第２の鉄心部と、この第１及び第２の鉄心部の間に介在する複数の延出鉄心部と、この延出鉄心部に巻回された一次巻線及び二次巻線とを備えた発電装置を組み立てる。この方法において、前記複数の延出鉄心部は、一次巻線及び／又は二次巻線が巻回された状態で、少なくとも部分的に前記第１の鉄心部及び第２の鉄心部のうち少なくとも一方の鉄心部と一体化していてもよく、前記第１の鉄心部、第２の鉄心部、及び一次及び／又は二次巻線が巻回された複数の延出鉄心部のうち、少なくとも１つの部材を隣接する他の部材に対して装着することにより、発電装置を組み立てることができる。【００１６】  例えば、中空筒状鉄心部と、この中空筒状鉄心部の中空部に装着される円筒状鉄心部と、中空筒状鉄心部とこの円筒状鉄心部との間に介在し、かつ周方向に所定間隔をおいて半径方向に延びる複数の放射状延出鉄心部（対称構造の延出鉄心部）と、隣接する放射状延出鉄心部間に成形（又は形成）されたスロットと、これらのスロット間の延出鉄心部に巻回された一次巻線及び二次巻線とを備えた発電装置を組み立てもよい。この方法において、前記複数の放射状延出鉄心部は、一次巻線及び／又は二次巻線が巻回された状態で、少なくとも部分的に前記中空筒状鉄心部（１）及び円筒状鉄心部（２）のうち少なくとも一方の鉄心部と一体化していてもよく、前記中空筒状鉄心部（１）、円筒状鉄心部（２）、及び一次及び／又は二次巻線が巻回された複数の放射状延出鉄心部（３）のうち、少なくとも１つの部材を隣接する他の部材に対して装着することにより、発電装置を組み立てることができる。【００１７】  また、互いに軸芯方向に積層した形態で装着可能な第１の円盤状鉄心部及び第２の円盤状鉄心部と、これらの第１及び第２の円盤状鉄心部の間に介在し、かつ周方向に所定間隔をおいて、前記円盤状鉄心部に対して垂直方向（又は積層方向）に延びる複数の柱状延出鉄心部と、これらの柱状鉄心部に巻回された一次巻線及び二次巻線とを備えた発電装置を組み立ててもよい。すなわち、前記第１の円盤状鉄心部、第２の円盤状鉄心部、及び一次及び／又は二次巻線が巻回された複数の柱状延出鉄心部のうち、少なくとも１つの部材を隣接する他の部材に対して装着することにより、発電装置を組み立ててもよい。【００１８】  なお、前記装置の第１の鉄心部（中空円筒状鉄心部又は第１の円盤状鉄心部など）は、通常の電動機の固定子として把握可能であり、前記装置は、通常、回転子を備えていてもよい。
【発明の効果】
【００１９】  本発明では、複数の鉄心部の少なくとも１つの鉄心部が、隣接する他の鉄心部に対して装着可能であるため、一次巻線及び二次巻線を備えた装置［発電装置（誘導発電装置）］の組み立て作業性を大きく改善できる。また、発電装置（誘導発電装置）の生産性を大きく向上できる。
【図面の簡単な説明】
【００２０】
【図１】図１は本発明の一例を示す概略分解斜視図である。
【図２】図２は図１に示す装置の概略平面図である。
【図３】図３は図１の装置の巻線図であり、図３（ａ）は一次巻線の巻線図、（ｂ）は二次巻線の巻線図である。
【図４】図４は図１に示す装置の概略断面図である。
【図５】図５は本発明の他の例を示す概略構成図である。
【図６】図６は本発明のさらに他の例を示す概略構成図である。
【図７】図７は本発明の別の例を示す概略構成図である。
【図８】図８は本発明の別の例を示す概略図であり、図８（ａ）は概略平面図、図８（ｂ）は一次巻線の巻線図、図８（ｃ）は二次巻線の巻線図である。
【図９】スロット形状の他の例を示す概略平面図である。
【図１０】図１０は、本願発明のさらに別の例を示す概略断面図である。
【図１１】図１１は、図１０の一次巻線及び二次巻線を有する第１の鉄心部を示す概略平面図である。
【図１２】図１２は、図１０の例における第２の鉄心部を示す概略斜視図である。
【００２１】発明の詳細な説明
以下に、添付図面を参照しつつ本発明を詳細に説明する。なお、以下の説明において、装置において慣用の絶縁手段［絶縁紙、絶縁層や絶縁部材］については説明を省略する。【００２２】  図１は本発明の一例を示す概略分解斜視図、図２は図１に示す装置の概略平面図、図３は図１の装置の巻線図を示し、図３（ａ）は一次巻線の巻線図、（ｂ）は二次巻線の巻線図を示し、図４は図１に示す装置の概略断面図を示す。【００２３】  図１〜図４に示す装置は、三相交流発電装置が示されており、第１の鉄心部（中空筒状鉄心部（又は円環状鉄心部））１と、この中空筒状鉄心部の中空部に装着又は嵌合可能な第２の鉄心部（円筒状鉄心部（又は円柱状鉄心部））２と、前記中空筒状鉄心部１の内周面において周方向に等間隔毎に半径方向（内方向）に延びる複数の延出鉄心部（放射状延出鉄心部）３とを備えており、複数の放射状延出鉄心部は対称構造に形成されている。また、中空筒状鉄心部（又は円環状鉄心部）１と、複数の放射状延出鉄心部３とは互いに一体に形成されている。すなわち、中空筒状鉄心部（又は円環状鉄心部）１と、複数の放射状延出鉄心部３とは、環状帯とこの環状帯の内周面から所定間隔毎に内方へ延出する延出片とで構成された複数の薄鋼板を積層して形成されている。また、円筒状鉄心部も円形状の複数の薄鋼板を積層して形成されている。【００２４】  前記複数の放射状延出鉄心部３間にはそれぞれ半径方向に延びる６つのスロット４が周方向に等間隔に形成されており、これらのスロット４間の延出鉄心部３には、二極全節巻きにより、一次巻線５と二次巻線６とが巻回されている。すなわち、図３（ａ）に示されるように、三相交流電源に接続され、三相交流ｉａ１、ｉｂ１及びｉｃ１を流すための三相一次巻線５は、スロット番号（１）とスロット番号（４）を通じて３つの延出鉄心部３に掛け渡されたＵ１相巻線５Ａと、スロット番号（２）とスロット番号（５）を通じて３つの延出鉄心部３に掛け渡されたＶ１相巻線５Ｂと、スロット番号（３）とスロット番号（６）を通じて３つの延出鉄心部３に掛け渡されたＷ１相巻線５Ｃとで構成されており、スロット番号（４）〜（６）に掛け渡されたＵ１相巻線５Ａ、Ｖ１相巻線５Ｂ及びＷ１相巻線５Ｃは互いに接続されており、Ｙ結線の三相対称巻きの構造を有している。一方、図３（ｂ）に示されるように、三相交流ｉａ２、ｉｂ２及びｉｃ２を取り出すための二次巻線６は、スロット番号（１）とスロット番号（４）を通じて３つの延出鉄心部３に掛け渡されたＵ２相巻線６Ａと、スロット番号（２）とスロット番号（５）を通じて３つの延出鉄心部３に掛け渡されたＶ２相巻線６Ｂと、スロット番号（３）とスロット番号（６）を通じて３つの延出鉄心部３に掛け渡されたＷ２相巻線６Ｃとで構成されており、スロット番号（４）〜（６）に掛け渡されたＵ２相巻線６Ａ、Ｖ２相巻線６Ｂ及びＷ２相巻線６Ｃは互いに接続されており、Ｙ結線の三相対称巻きの構造を有している。【００２５】  このような構造では、前記一次巻線５により、前記円筒状鉄心部２に交番磁界と進行磁界（回転磁界）とを生じさせることができ、前記一次巻線５により生じる交番磁界及び進行磁界（回転磁界）に対して二次巻線６を交差させること���できる。特に、一次巻線５と二次巻線６とを中空筒状鉄心部１の延出鉄心部３に巻回した状態で、中空筒状鉄心部１の中空部に円筒状鉄心部２を装着又は嵌合できる。そのため、発電装置の組み立て効率を向上でき、生産性を高めることができる。【００２６】  なお、前記複数の鉄心部（前記中空筒状鉄心部（１）、円筒状鉄心部（２）、一次及び／又は二次巻線が巻回された複数の放射状延出鉄心部（３））のうち少なくとも１つの鉄心部は、前記巻線が巻回された状態で、隣接する鉄心部に対して装着又は嵌合可能であればよい。例えば、中空筒状鉄心部及び円筒状鉄心部のうち少なくとも一方の鉄心部は、一次巻線及び二次巻線が巻回された複数の延出鉄心部と一体化し、前記一方の鉄心部に対して他方の鉄心部が装着可能であってもよい。【００２７】  図５は本発明の他の例を示す概略構成図である。この例では、前記図１に示す装置とは逆に、複数の放射状延出鉄心部１３が円筒状鉄心部（又は円柱状鉄心部）１２の外周から放射状に延出している。より詳細には、図５に示す装置（電動装置又は発電装置）は、中空筒状鉄心部（又は円環状鉄心部）１１と、円筒状鉄心部（又は円柱状鉄心部）１２と、前記中空筒状鉄心部１１と円筒状鉄心部１２との間に介在し、かつ円筒状鉄心部１２の周面から等間隔に放射状に延出する複数の延出鉄心部１３とを備えている。また、複数の延出鉄心部１３間には、前記と同様に、一次巻線１５及び二次巻線１６を巻回又は装着するための６つのスロット１４が形成されている。このような構造でも、複数（６つ）のスロット１４を利用して複数の延出鉄心部１３に一次巻線１５及び二次巻線１６を巻回した状態で、前記中空筒状鉄心部１１の中空部に円筒状鉄心部１２を装着又は嵌合できる。【００２８】  前記のように、複数の放射状延出鉄心部は、一次巻線及び／又は二次巻線が巻回された状態で、全体として前記中空筒状鉄心部（１）及び円筒状鉄心部（２）のうち少なくとも一方の鉄心部と一体化していてもよく、前記複数の放射状延出鉄心部は部分的に中空筒状鉄心部（１）及び円筒状鉄心部（２）のうち少なくとも一方の鉄心部と一体化していてもよい。例えば、複数の放射状延出鉄心部は、一次巻線及び二次巻線が巻回された状態で、円筒状鉄心部の外周面から延出して一体化されていてもよく、中空筒状鉄心部の内周面から延出して一体化されていてもよい。【００２９】  図６は本発明のさらに他の例を示す概略構成図である。この例では、一次巻線２５と二次巻線２６とを、中空筒状鉄心部２１と筒状鉄心部２２とにそれぞれ巻回又は装着している。すなわち、中空筒状鉄心部（又は円環状鉄心部）２１の内周面からは、周方向に等間隔毎に第１の延出鉄心片２３ａが内方に向かって放射方向に延出しており、筒状鉄心部（円筒状鉄心部）２２の外周面からは、周方向に等間隔毎に第２の延出鉄心片２３ｂが外方に向かって放射方向に延出している。前記第１の延出鉄心片２３ａには、一次巻線２５又は二次巻線２６が巻回又は装着され、第２の延出鉄心片２３ｂには、二次巻線２６又は一次巻線２５が巻回又は装着される。そして、前記第１の延出鉄心片２３ａと第２の延出鉄心片２３ｂとは、互いに突き合わせ可能であり、中空筒状鉄心部２１と筒状鉄��部２２との間で放射方向に延びる延出鉄心部２３を構成する。このような構造であっても、第１の延出鉄心片２３ａに一次巻線２５又は二次巻線２６を巻回し、第２の延出鉄心片２３ｂに二次巻線２６又は一次巻線２５を巻回した状態で、中空筒状鉄心部（又は円環状鉄心部）２１と筒状鉄心部（円筒状鉄心部）２２とを装着又は嵌合させ、延出鉄心部を構成できる。【００３０】  図７は本発明の別の例を示す概略構成図である。この例では、中空筒状鉄心部（円環状鉄心部）３１と、筒状鉄心部（円筒状鉄心部）３２と、中空筒状鉄心部３１と筒状鉄心部３２との間に介在する複数の放射状延出鉄心部３３とで構成されている。そして、複数の放射状延出鉄心部３３には、一次巻線３５及び二次巻線３６を構成する巻線が巻回され、複数の放射状延出鉄心部３３の形状を保持している。なお、複数の放射状延出鉄心部は、保持部材により保持して、一次巻線及び二次巻線を巻回又は装着してもよく、保持部材により保持した状態で、中空筒状鉄心部と筒状鉄心部との間に装着又は嵌合し、装置を組み立てもよい。【００３１】  なお、複数の放射状延出鉄心部間に形成されるスロット数は、特に制限されず、６スロット、１２スロット、３６スロットなどであってもよい。また、巻線（又はコイルループ）の巻回形態は、単層巻きであってもよく、波巻き、鎖巻きであってもよく、重ね巻き（又は二層巻き）であってもよい。【００３２】  図８は本発明の別の例を示す概略図であり、図８（ａ）は概略平面図、図８（ｂ）は一次巻線の巻線図、図８（ｃ）は二次巻線の巻線図である。【００３３】  この例では、円筒状鉄心部４２の周面からは複数の延出鉄心部４３が放射状に延出しており、この延出鉄心部４３の先端を結ぶ仮想線部は、中空筒状鉄心部（円環状鉄心部）４１の中空部内壁に適合しており、複数の延出鉄心部４３は円筒状鉄心部４２ととともに中空筒状鉄心部４１の中空部に嵌合又は装着可能である。この例では、複数の延出鉄心部４３間に１２のスロット４４が形成されており、重ね巻きにより一次巻線４５及び二次巻線４６が巻回又は装着されている。すなわち、図８（ｂ）に示されるように、三相交流電源からの電流（励磁電流）ｉａ１，ｉｂ１，ｉｃ１を与えるための一次巻線４５は、スロット番号（１）（４）（７）（１０）を通じて３つの延出鉄心部４３を掛け渡されたＵ１相巻線４５Ａと、スロット番号（３）（６）（９）（１２）を通じて３つの延出鉄心部４３を掛け渡されたＶ１相巻線４５Ｂと、スロット番号（２）（５）（８）（１１）を通じて３つの延出鉄心部４３を掛け渡されたＷ１相巻線４５Ｃとで構成されており、スロット番号（１０）のＵ１相巻線４５Ａと、スロット番号（１２）のＶ１相巻線４５Ｂと、スロット番号（２）のＷ１相巻線４５Ｃとは互いに接続されている。また、二次巻線４６も、図８（ｃ）に示されるように、前記一次巻線と同様の形態で所定の番号のスロットに巻回又は装着されたＵ１相巻線４６Ａ、Ｖ１相巻線４６Ｂ、およびＷ１相巻線４６Ｃとで構成されている。このような構造により、４極回転磁界を生成可能な構造の発電装置を構築できる。【００３４】  なお、巻線を装着するスロットの形状は前記の例に限らず、例えば、スロットの開口側の放���状延出鉄心部には巻線の脱落を防止するための脱落防止手段（突起など）が形成されていてもよく、スロットの開口部は遮蔽又は閉塞手段により閉塞してもよい。【００３５】  図９は、スロット形状の他の例を示す概略平面図である。図９の例では、中空筒状鉄心部５１の内周面からは、周方向に所定間隔をおいて内方向に延びる複数の放射状延出鉄心部５３が延びており、これらの放射状延出鉄心部５３間にはスロット５４が形成されている。スロット５４内には一次巻線５５及び二次巻線５６が巻回されており、放射状延出鉄心部５３のうちスロット５４の開口端部には、一次巻線５５及び二次巻線５６の脱落を防止するため、スロット入口の幅を狭める凸部５３ａ、５３ｂが形成されている。さらに、スロット５４のうち凸部５３ａ、５３ｂの内側（この例では、凸部５３ａ、５３ｂに隣接するスロットの深部側）には、スロット５４からの一次巻線５５及び二次巻線５６の移動や脱落を規制するため、スロット５４の深さ方向に樹脂板５７が嵌合又は挿入されている。【００３６】  なお、前記スロットは、必ずしも中空筒状鉄心部から延びる放射状延出鉄心部に形成されている必要はなく、円筒状鉄心部から延びる放射状延出鉄心部に形成されていてもよく、例えば、前記図６の例などでは、中空円筒状鉄心部から延びる放射状延出鉄心部と、円筒状鉄心部から延びる放射状延出鉄心部との双方に形成してもよい。また、脱落防止手段は、前記スロットの開口幅を狭める凸部や突条であってもよく、スロットを形成する一対の放射状延出鉄心部に対向して形成された溝部（又はガイド部）と、この溝に嵌合又は挿入可能な規制プレートとで構成してもよい。さらに、規制プレートは、樹脂製シートなどの樹脂板に限らず、電気絶縁性材料（例えば、セラミックス製プレートなど）であってもよい。【００３７】  なお、第１の鉄心部及び第２の鉄心部は互い装着可能であればよく、前記中空筒状鉄心部及び円筒状鉄心部のように、軸芯を同じくして互いに軸芯方向に嵌合した形態又は同心円状の形態で装着可能であってもよく、少なくとも対をなす円盤状鉄心部で構成され、軸芯を同じくして互いに軸芯方向に積層した形態で装着可能であってもよい。また、延出鉄心部は、第１及び第２の鉄心部の装着形態に応じて、第１の鉄心部及び第２の鉄心部のうち少なくとも一方の鉄心部から、周方向に所定間隔をおいて半径方向に延出して形成してもよく、前記少なくとも一方の鉄心部（特に鉄心部の内方領域）から周方向に所定間隔をおいて、半径方向に対して直交する方向（軸芯方向に対して並列な方向）に延出して形成してもよい。【００３８】  図１０は、本願発明のさらに別の例を示す概略断面図であり、図１１は、図１０の一次巻線及び二次巻線を有する第１の鉄心部を示す概略平面図であり、図１２は、図１０の第２の鉄心部を示す概略斜視図である。【００３９】  図１０に示す発電装置の組み立て構造は、第１の円盤状鉄心部６１と、第２の円盤状鉄心部６２とを備えており、第１及び第２の円盤状鉄心部６１，６２は、一次巻線及び二次巻線を収容して互いに積層形態で装着可能である。すなわち、第１の円盤状鉄心部６１は、一方の面に形成された円環状溝（環状凹部）６８Ａと、この円環状溝の底面から、周方向に所定間隔をおいて半径方向に対して直交する方向（軸芯方向に並列な垂直方向）に延びる複数の延出鉄心部（柱状延出鉄心部）６３と、これらの柱状鉄心部６３に巻回された一次巻線６５及び二次巻線６６とを備えている。前記複数の柱状延出鉄心部６３は、対称構造に形成され、前記第１の円盤状鉄心部６１の一方の面に、前記二次巻線６６及び一次巻線６５を巻回した状態で一体化されている。なお、互いに隣接する柱状延出鉄心部６３の間のスペースが、図１におけるスロットに相当する。そして、前記柱状延出鉄心部６３には、全節巻の重ね巻で３本の二次巻線６６が巻回され、この二次巻線の上にさらに全節巻の重ね巻で３本の一次巻線６５Ａ，６５Ｂ，６５Ｃが巻回されている。一方、第２の円盤状鉄心部６２には、前記一次巻線６５及び二次巻線６６を収容するための円環状溝（環状凹部）６８Ｂが形成されている。なお、この例では、前記第１及び第２の円盤状鉄心部として、フェライトの焼結体を用いている。図１１及び図１２に示すように、第１の円盤状鉄心部６１及び第２の円盤状鉄心部６２の軸芯部にはそれぞれ貫通孔６７Ａ、６７Ｂが形成されている。【００４０】  前記貫通孔６７Ａ、６７Ｂには、貫通孔の内径よりも大きな頭部を有するボルト６９が挿入され、このボルトの他端部に形成された螺旋溝には、ナット７０が螺合され、前記第１の円盤状鉄心部６１と第２の円盤状鉄心部６２とは、前記一次巻線６５及び二次巻線６６を介して積層した状態で締結又は結合して互いに装着されている。すなわち、貫通孔６７Ａ，６７Ｂに一方からボルト６９を挿入し、ナット７０で締結させることにより、第１及び第２の円盤状鉄心部６１，６２を装着させている。【００４１】  このような構造でも、前記図１の例などと同様に、一次巻線６５により、第２の円盤状鉄心部６２に交番磁界と進行磁界（回転磁界）とを生じさせることができ、前記一次巻線６５により生じる交番磁界及び進行磁界に対して、二次巻線６６を交差させることができる。特に一次巻線６５と二次巻線６６とを第１の円盤状鉄心部の一方の面から延出した柱状鉄心部６３に巻回した状態で、第２の円盤状鉄心部６２の円環状溝６８Ｂに装着又は嵌合できる。そのため、発電装置の組み立て効率及び生産性を向上できる。【００４２】  また、柱状延出鉄心部と、隣接する柱状延出鉄心部との間のスペースが、図１におけるスロットに該当するため、一次及び二次巻線は、図１〜８の例に準じて延出鉄心部に巻回することができるとともに、柱状延出鉄心部の数を増減させることによりスロット数も増減することができる。【００４３】  なお、第１の鉄心部と第２の鉄心部とは、前記締結又は結合手段によることなく、積層形態で互いに嵌合可能であってもよい。例えば、第１の鉄心部と第２の鉄心部とを嵌合するため、第１の鉄心部と第２の鉄心部との周辺部に凹凸嵌合部を形成してもよく、第１の鉄心部及び第２の鉄心部のうち一方の鉄心部に、延出鉄心部の先端部が嵌合可能な装着凹部を形成してもよい。また、締結手段や結合手段は、ボルト・ナットに限らず、種々の手段、例えば、バックル式締結手段などであってもよい。【００４４】  第１及び第２の円盤状鉄心部、並びに一次及び／又は二次巻線が巻��された複数の柱状延出鉄心部は、これらの部材のうち、少なくとも１つの部材が隣接する他の部材に対して装着可能である限り、上記図１０〜１２の例に限らず、一次巻線及び／又は二次巻線を巻回した複数の柱状延出鉄心部と、第１の円盤状鉄心部及び／又は第２の円盤状鉄心部とは、必ずしも接合又は延出などにより一体化している必要はない。また、一次巻線及び／又は二次巻線を巻回した複数の柱状延出鉄心部は、少なくとも一部の柱状延出鉄心部が、第１及び第２の円盤状鉄心部のうち、少なくともいずれか一方から延出して、円盤状鉄心部と一体化していてもよい。例えば、一次巻線及び二次巻線を巻回した複数の柱状延出鉄心部の全てが、第１又は第２の円盤状鉄心部から延出していてもよく、一部の柱状延出鉄心部が、巻線を巻回した状態で、第１の円盤状鉄心部から延出し、残りの柱状延出鉄心部が、巻線を巻回した状態で、第２の円盤状鉄心部から延出していてもよく、このような柱状延出鉄心部が一体化した第１及び第２の円盤状鉄心部を互いに装着又は嵌合させてもよい。また、複数の柱状延出鉄心部を、一次巻線が巻回された状態で第１の円盤状鉄心部と一体化した第１の延出片と、二次巻線が巻回された状態で第２の円盤状鉄心部と一体化した第２の延出片とで構成してもよい。このような第１及び第２の円盤状鉄心部を、前記延出片を内側にして装着させ、前記第１の延出片と第２の延出片とを突き合わせて、両延出片を接触させてもよい。なお、この例では、両延出片は、互いに少なくとも接触可能であればよく、嵌合可能な嵌合凹部及び嵌合凸部をそれぞれに形成して、嵌合させてもよい。また、第１及び第２の円盤状鉄心部のうち、少なくとも一方の鉄心部に巻線を収容するための円環状溝（凹部）を形成すればよく、例えば、一方の円盤状鉄心部には凹部を形成せずに、他方の円盤状鉄心部に巻線を収容可能な凹部を形成してもよい。【００４５】  なお、本発明において、前記第１及び第２の鉄心部、並びに延出鉄心部は、前記鋼板の積層体やフェライトに限らず、磁性体で形成すればよく、材料の種類や鉄心部の形態は問わない。各鉄心部の材料としては、例えば、強磁性材料などが挙げられる。また各鉄心部は、それぞれ、硬磁性材料及び軟磁性材料のいずれで構成してもよく、必要により両材料を組み合わせて構成してもよい。【００４６】  また、第１及び／又は第２の鉄心部（中空筒状鉄心部及び／又は筒状鉄心部、第１及び／又は第２の円盤状鉄心部など）は、複数の磁極、例えば、２極、４極、６極などの極数を有していてもよい。【００４７】  また、前記極数とスロット数（又は巻線を構成するコイルループ）と巻線の形態とを組み合わせてもよい。例えば、２４スロットや３６スロットにおいて、単層巻き又は二層巻きし、４極又は６極の回転磁界を生成してもよい。なお、巻線はコイルループを所定のスロットに装着してもよい。また、一次巻線を中空筒状鉄心部側（外側）に形成するとともに、二次巻線を筒状鉄心部側（内側）に形成してもよく、一次巻線を筒状鉄心部側（内側）に形成するとともに、二次巻線を中空筒状鉄心部側（外側）に形成してもよい。【００４８】  また、本発明において、巻線（結線などの接続形態、巻き方、これらの組合せなども含む）の種類は問わない。巻線の接続形態は、特に制限されず、例えば、Ｙ結線に限らず、Δ結線、Ｖ結線であってもよい。一次巻線及び二次巻線のそれぞれの接続形態の組合せも特に制限されず、異なる接続形態の組合せ、例えば、一次巻線をＹ結線とし、二次巻線をΔ結線としてもよく、その逆の組合せであってもよい。また、一次巻線及び二次巻線の双方を同じ接続形態、例えば、Ｙ結線の組合せ又はΔ結線の組合せにしてもよい。さらに、全節巻きに限らず短節巻きであってもよい。さらに、巻線（又はコイルループ）は、分布巻きであってもよいが、集中巻である場合が多い。【００４９】  一次巻線は、励磁電流により円筒状鉄心部に交番磁界と進行磁界（回転磁界）とを生じさせ、二次巻線は、通常、前記一次巻線により生じる交番磁界及び進行磁界（回転磁界）に対して磁気的に交差又は鎖交している。このような磁気的結合形態は、一次巻線と二次巻線とを、それぞれ複数のスロットに同じ巻き方（同じ形態又は態様）で巻回又は装着することにより形成できる。すなわち、一次巻線及び二次巻線は、通常、それぞれ同じコイルピッチ及び極ピッチ（すなわち、励磁電流の相に応じたコイルピッチ及び極ピッチ）でスロットに巻かれる。【００５０】  励磁電流として単相又は二相交流電流も利用してもよいが、通常、多相交流電流（例えば、四相交流電流など）、特に三相交流電流を用いる場合が多い。なお、前記鉄心部は、磁性体で構成されていればよく、鋼板の積層体に限らず、磁性体ブロックからの切り出し、フェライトなどの磁性体の焼結などにより調製してもよい。【００５１】  隣接する各鉄心部には、隣接する部材間の装着性や嵌合性を高めるとともに、位置決め精度を高めるため、嵌合溝（例えば、軸線方向に延びるキー溝など）や突条などを形成してもよい。
【産業上の利用可能性】
【００５２】  本発明は、一次巻線及び二次巻線を備えた種々の発電装置の組み立てに有用である。特に、小型の前記装置を製造するのに有用である。
【図１】
2005062442.tif 000002
【図２】
2005062442.tif 000003
【図３】
2005062442.tif 000004
【図４】
2005062442.tif 000005
【図５】
2005062442.tif 000006
【図６】
2005062442.tif 000007
【図７】
2005062442.tif 000008
【図８】
2005062442.tif 000009
【図９】
2005062442.tif 000010
【図１０】
2005062442.tif 000011
【図１１】
2005062442.tif 000012
【図１２】
2005062442.tif 000013
【国際調査報告】
2005062442.tif 000014
2005062442.tif 000015
2005062442.tif 000016
2005062442.tif 000017